(57)【要約】【課題】水密性を維持しつつ無目や中骨を枠体に取り付けることができるカーテンウォールユニットを提供すること。【解決手段】カーテンウォールユニットは、枠体と、枠体内に配置されるパネル２１，２２とを備える。枠体の縦枠６０Ａは中空に形成される。枠体の無目５０は、室外見付け片部５３および無目見込み片部５２を有した無目本体５１と、室外見付け片部５３および無目見込み片部５２に取り付けられてホロー５０Ａを形成するカバー部材５７とを備える。ホロー５０Ａには、無目本体５１に沿った第一取付片部８１および縦枠６０Ａに沿った第二取付片部８２を有した取付部材８０が配置される。第一取付片部８１は、無目本体５１に取り付けられ、第二取付片部８２は、無目５０側から縦枠６０Ａにねじ込まれたビス９０によってビス止めされている。【選択図】図４
2018066153.tif 000002
【特許請求の範囲】
【請求項１】
枠体と、前記枠体内に配置されるパネルとを備え、
前記枠体は、上下の横枠と、左右の縦枠と、前記左右の縦枠に取り付けられた無目および前記上下の横枠に取り付けられた中骨のうちの少なくとも一方の中枠とを備え、
前記左右の縦枠および前記上下の横枠のうちの少なくとも一方は中空に形成され、
前記中枠は、室外見付け片部および見込み片部を有した中枠本体と、前記室外見付け片部および前記見込み片部に取り付けられてホローを形成するカバー部材とを備え、
前記ホローには、前記中枠本体に沿った第一取付片部および前記左右の縦枠および前記上下の横枠のうちの一方に沿った第二取付片部を有した取付部材が配置され、
前記第一取付片部は、前記中枠本体に取り付けられ、
前記第二取付片部は、前記中枠側から前記左右の縦枠および前記上下の横枠のうちの一方にねじ込まれたビスによってビス止めされている
ことを特徴とするカーテンウォールユニット。
【請求項２】
請求項１に記載のカーテンウォールユニットにおいて、
前記中枠本体は、前記ホローに配置された第一ビス止め部を有し、
前記第一取付片部は、前記第一ビス止め部にビス止めされている
ことを特徴とするカーテンウォールユニット。
【請求項３】
請求項１または請求項２に記載のカーテンウォールユニットにおいて、
前記第一取付片部は、前記中枠本体の見込み片部に沿って配置され、
前記取付部材は、前記中枠本体の室外見付け片部に沿った第三取付片部を有し、
前記第三取付片部は、前記第二取付片部に連続しているとともに、前記中枠本体に取り付けられている
ことを特徴とするカーテンウォールユニット。
【請求項４】
請求項３に記載のカーテンウォールユニットにおいて、
前記中枠本体は、前記ホローに配置された第二ビス止め部を有し、
前記第三取付片部は、前記第二ビス止め部にビス止めされている
ことを特徴とするカーテンウォールユニット。
【請求項５】
請求項１から請求項４のいずれか一項に記載のカーテンウォールユニットにおいて、
前記上下の横枠および前記左右の縦枠のうちの少なくとも一方と前記中枠との間には、シール部材が配置されている
ことを特徴とするカーテンウォールユニット。
【発明の詳細な説明】
【技術分野】
【０００１】
本発明は、建物の外壁として用いられるカーテンウォールを構成するカーテンウォールユニットに関する。
【背景技術】
【０００２】
従来、上下の横枠および左右の縦枠を枠組みし、かつ、左右の縦枠に無目を連結した枠体と、枠体内に配置されるガラスとを備えたカーテンウォールユニットが知られている（特許文献１参照）。
このカーテンウォールユニットでは、無目は、中空の縦枠側から通されたビスによって当該縦枠に取り付けられている。
【先行技術文献】
【特許文献】
【０００３】
【特許文献１】実開昭６４−０４１５０９号公報
【発明の概要】
【発明が解決しようとする課題】
【０００４】
ところで、特許文献１に記載のカーテンウォールユニットでは、縦枠側から無目取付用のビスを通すために、中空の縦枠を構成する二つの見込み片部の双方にビス挿通用の孔を形成する必要があるが、水密性が低下するおそれがある。
【０００５】
本発明の目的は、水密性を維持しつつ無目や中骨を枠体に取り付けることができるカーテンウォールユニットを提供することにある。
【課題を解決するための手段】
【０００６】
本発明のカーテンウォールユニットは、枠体と、前記枠体内に配置されるパネルとを備え、前記枠体は、上下の横枠と、左右の縦枠と、前記左右の縦枠に取り付けられた無目および前記上下の横枠に取り付けられた中骨のうちの少なくとも一方の中枠とを備え、前記左右の縦枠および前記上下の横枠のうちの少なくとも一方は中空に形成され、前記中枠は、室外見付け片部および見込み片部を有した中枠本体と、前記室外見付け片部および前記見込み片部に取り付けられてホローを形成するカバー部材とを備え、前記ホローには、前記中枠本体に沿った第一取付片部および前記左右の縦枠および前記上下の横枠のうちの一方に沿った第二取付片部を有した取付部材が配置され、前記第一取付片部は、前記中枠本体に取り付けられ、前記第二取付片部は、前記中枠側から前記左右の縦枠および前記上下の横枠のうちの一方にねじ込まれたビスによってビス止めされていることを特徴とする。
【０００７】
本発明のカーテンウォールユニットによれば、中枠が無目である場合には、第二取付片部を無目側から左右の縦枠にビスをねじ込むことによってビス止めすることで、中空の縦枠にビスやドライバー等の工具を通すための孔を形成する必要をなくすことができ、水密性を維持できる。中枠が中骨である場合には、第二取付片部を中骨側から上下の横枠にビスをねじ込むことによってビス止めすることで、中空の横枠にビスやドライバー等の工具を通すための孔を形成する必要をなくすことができ、水密性を維持できる。
また、取付部材は、中枠のホローに配置されるので、取付部材が外部に露呈して外観を損なうことがない。
【０００８】
本発明のカーテンウォールユニットでは、前記中枠本体は、前記ホローに配置された第一ビス止め部を有し、前記第一取付片部は、前記第一ビス止め部にビス止めされていることが好ましい。
このような構成によれば、第一取付片部が第一ビス止め部にビス止めされることで、ビスが中枠本体から外部に突き出ることなく当該第一取付片部を中枠本体に取り付けることができる。
【０００９】
本発明のカーテンウォールユニットでは、前記第一取付片部は、前記中枠本体の見込み片部に沿って配置され、前記取付部材は、前記中枠本体の室外見付け片部に沿った第三取付片部を有し、前記第三取付片部は、前記第二取付片部に連続しているとともに、前記中枠本体に取り付けられていることが好ましい。
このような構成によれば、第二取付片部が第一取付片部に対して撓まないように第三取付片部によって補強できる。
【００１０】
本発明のカーテンウォールユニットでは、前記中枠本体は、前記ホローに配置された第二ビス止め部を有し、前記第三取付片部は、前記第二ビス止め部にビス止めされていることが好ましい。
このような構成によれば、第三取付片部が第二ビス止め部にビス止めされることで、ビスが中枠本体から外部に突き出ることなく当該第三取付片部を中枠本体に取り付けることができる。
【００１１】
本発明のカーテンウォールユニットでは、前記上下の横枠および前記左右の縦枠のうちの少なくとも一方と前記中枠との間には、シール部材が配置されていることが好ましい。
このような構成によれば、横枠や縦枠に中枠を取付部材を介して取り付けるだけで、これらの間を不定形シール材を用いることなくシール部材によって簡単にシールできる。
【発明の効果】
【００１２】
本発明によれば、水密性を維持しつつ無目や中骨を枠体に取り付けることができるカーテンウォールユニットを提供できる。
【図面の簡単な説明】
【００１３】
【図１】本発明の実施形態に係るカーテンウォールユニットを示す外観姿図。
【図２】図１に示すＩＩ−ＩＩ線に沿った断面図。
【図３】図１に示すＩＩＩ−ＩＩＩ線に沿った断面図。
【図４】図１に示すＩＶ−ＩＶ線に沿った断面図。
【図５】図４に示すＶ−Ｖ線に沿った断面図。
【発明を実施するための形態】
【００１４】
［本実施形態の構成］
以下、本発明の実施形態を図面に基づいて説明する。
図１〜図３は、本実施形態に係るカーテンウォールユニット１０を示している。カーテンウォールユニット１０は、上下方向に並設されることで、建物の外壁面であるカーテンウォールを構成し、室内外（屋内外）を仕切るものである。なお、建物は、梁と、梁で支持される床スラブとを備えており、床スラブの下部には吊り天井が設置されている。各カーテンウォールユニット１０は、床スラブにそれぞれ吊られて設置されている。
【００１５】
カーテンウォールユニット１０は、枠体２０と、パネル２１，２２とを備える段窓によって構成されている。
枠体２０は、アルミ製の押出形材によって形成された上枠３０（横枠）、下枠４０（横枠）、無目５０（中枠）および左右の縦枠６０（６０Ａ，６０Ｂ）を枠組みして構成されている。上枠３０、下枠４０および左右の縦枠６０（６０Ａ，６０Ｂ）は、断面形状が同一の枠形材２５と、枠形材２５に係合する押縁２６とによって枠組みして構成されている。無目５０は、左右の縦枠６０Ａ，６０Ｂに取り付けられている。
【００１６】
上枠３０、無目５０および左右の縦枠６０Ａ，６０Ｂは、上側の開口２３を形成しており、下枠４０、無目５０および左右の縦枠６０Ａ，６０Ｂは、下側の開口２４を形成している。パネル２１は、単層ガラスパネルによって形成されて開口２３に配置されている。パネル２２は、複層ガラスパネルによって形成されて開口２４に配置されている。
上枠３０および下枠４０の両端部および縦枠６０Ａ，６０Ｂの両端部は互いに４５°の角度で切断されて突き合わされ、各枠形材２５の内部にコーナーブロック７１Ａ，７１Ｂが差し込まれることによって互いに接合されている。また、無目５０は、左右の縦枠６０Ａ，６０Ｂに取り付けられている。
【００１７】
上枠３０は、図２に示すように、枠形材２５と、押縁２６とによって構成されている。枠形材２５は、パネル対向片部２５１（室外見付け片部）と、各見込み片部２５２，２５３と、室内見付け片部２５４と、係合片部２５５とを有している。
【００１８】
パネル対向片部２５１は、枠形材２５の見付け方向に沿っており、その室外面には、パネル２１の室内面に当接するガスケット１１が装着された室外突部２５１Ａが形成されている。また、パネル対向片部２５１から室外側に向かって係合片部２５５が延出している。
【００１９】
各見込み片部２５２，２５３は、パネル対向片部２５１にそれぞれ連続している。上枠３０において、内側見込み片部２５２は、外側見込み片部２５３に対して下方に位置している。内側見込み片部２５２の室内側部分には、耐火パネル１５の上縁部が取り付けられている。外側見込み片部２５３には、水密材１２および気密材１３がそれぞれ装着された装着部２５３Ａ，２５３Ｂが形成されている。水密材１２は、気密材１３よりも室外側に等圧空間を形成するための間隔を隔てて位置している。
【００２０】
室内見付け片部２５４は、各見込み片部２５２，２５３に連続している。各見込み片部２５２，２５３には、仕切り片部２５６，２５７が連続しており、この仕切り片部２５６，２５７によって枠形材２５内に三つのホロー２８Ａ，２８Ｂ，２８Ｃが形成されている。ホロー２８Ｂよりも室外側に位置するホロー２８Ａには、コーナーブロック７１Ａが配置されており、ホロー２８Ｂよりも室内側に位置するホロー２８Ｃには、コーナーブロック７１Ｂが配置されている。
【００２１】
上枠３０の外側見込み片部２５３のうち装着部２５３Ａ，２５３Ｂ間に位置する部分には、前述した等圧空間に浸入した水を排水するための排水口３１が形成されている。この排水口３１から排水された水は、上枠３０および左右の縦枠６０Ａ，６０Ｂのホロー２８Ｂを通って下枠４０の排水口４３から排水される。
【００２２】
ここで、水密材１２は、ヒレ部を有して形成され、装着部２５３Ａに装着されており、気密材１３は、装着部２５３Ａよりも室内側に位置した装着部２５３Ｂに装着されている。なお、装着部２５３Ａ，２５３Ｂ間には、嵌合凸部材（図示省略）がはめ込まれている。
【００２３】
押縁２６は、断面略Ｌ字形状に形成されており、係合片部２５５に係合されている。この押縁２６は、パネル２１の室外面に当接するガスケット１７を介して当該パネル２１の室外面を押えている。
【００２４】
下枠４０は、図２に示すように、前述した枠形材２５および押縁２６によって構成されており、上枠３０に対して上下逆向きに配置されている。下枠４０のパネル対向片部２５１に形成された室外突部２５１Ａには、パネル２２の室内面に当接するガスケット１８が装着されている。下枠４０の押縁２６に装着されたガスケット１７は、パネル２２の室外面に当接している。なお、下枠４０には排水口３１は形成されていない。
【００２５】
下枠４０の装着部２５３Ａ，２５３Ｂ間には、上枠３０の嵌合凸部材に嵌合した嵌合凹部材（図示省略）がはめ込まれている。
下枠４０の水密材１２のヒレ部は、上枠３０の水密材１２のヒレ部に当接しており、下枠４０の気密材１３は、上枠３０の気密材１３に当接しており、これら水密材１２および気密材１３間に外部空間と等圧とされる等圧空間が形成されている。
下枠４０の外側見込み片部２５３には、装着部２５３Ａよりも室外側部分と室内側部分とに通気口４１，４２が形成されている。また、下枠４０の外側見込み片部２５３の両端部側には、下枠４０の長手方向に沿って通気口４１と並んだ排水口４３が形成されており、各ホロー２８Ｂを通る水は、この排水口４３から排水される。
【００２６】
縦枠６０Ａ，６０Ｂは、図３に示すように、前述した枠形材２５および押縁２６によってそれぞれ構成されており、互いに左右逆向きに配置されている。縦枠６０Ａ，６０Ｂは、無目５０よりも上側部分でパネル２１を保持しており、無目５０よりも下側部分でパネル２２を保持している。なお、縦枠６０Ａ，６０Ｂには、排水口３１，４３および通気口４１，４２は形成されていない。
【００２７】
無目５０は、図４に示すように、無目本体５１（中枠本体）と、カバー部材５７とによって分割構造とされており、無目本体５１およびカバー部材５７によってホロー５０Ａが形成されている。
【００２８】
無目本体５１は、無目見込み片部５２（見込み片部）と、無目見込み片部５２の室外端部に連続した室外見付け片部５３と、室外見付け片部５３の室外面から室外側に延出した係合片部５４Ａ，５４Ｂと、無目見込み片部５２の室内端部に連続した取付部５６と、室外見付け片部５３の上端部に連続した取付部５５とを有している。
【００２９】
無目見込み片部５２の上面には、鉤状の第一ビス止め部５２１が二つ形成されている。
室外見付け片部５３の室内面には、鉤状の第二ビス止め部５３１が二つ形成されている。室外見付け片部５３の室外面には、室外突部５３２，５３３が形成されており、室外突部５３２には、パネル２１の室内面に当接するガスケット１１が装着されており、室外突部５３３には、パネル２２の室内面に当接するガスケット１８が装着されている。
係合片部５４Ａ，５４Ｂには、押縁２６がそれぞれ係合している。係合片部５４Ａに係合した押縁２６には、パネル２１の室外面に当接するガスケット１７が装着されており、係合片部５４Ｂに係合した押縁２６には、パネル２２の室外面に当接するガスケット１７が装着されている。
取付部５５は、室外見付け片部５３の上端部から室内側に延出しており、その先端にカバー部材５７を係止する爪部が形成されている。
取付部５６は、無目見込み片部５２の室内端部から上方に延出しており、カバー部材５７をビス止め可能に構成されている。
【００３０】
カバー部材５７は、カバー見込み片部５８と、カバー見込み片部５８の室内端部に連続したカバー見付け片部５９とを有して断面略Ｌ字形状に形成されている。
カバー見込み片部５８の室外端部には、取付部５５の爪部に係止される突部が形成されている。カバー見付け片部５９の下端部は、取付部５６にビス止めされている（図４においてビスは図示省略）。
【００３１】
無目５０は、図４，５に示す取付部材８０によって縦枠６０に取り付けられている。無目５０と縦枠６０との間には、シート状のシール部材９１が配置されている。
図４では、無目５０を縦枠６０Ａに取り付ける取付部材８０を示している。なお、無目５０を縦枠６０Ｂに取り付ける取付部材８０は、図４に示す取付部材８０とは左右逆向きに形成されている。
【００３２】
図４に示す取付部材８０は、無目見込み片部５２に沿った第一取付片部８１と、縦枠６０の内側見込み片部２５２に沿った第二取付片部８２と、室外見付け片部５３に沿った第三取付片部８３とを有している。
無目５０の見込み方向に沿った第一取付片部８１の側縁は、第二取付片部８２の下縁に連続している。第二取付片部８２の室外縁は、第三取付片部８３の上下方向に沿った側縁に連続している。
【００３３】
第一取付片部８１は、第一ビス止め部５２１に載置されてビス止めされている。ここでのビス９０は、第一取付片部８１側から無目見込み片部５２側に向かってねじ込まれている。
ここで、第一ビス止め部５２１が鉤状に形成されているので、ビス９０が無目見込み片部５２に当たらない配置となっている。
【００３４】
第三取付片部８３は、第二ビス止め部５３１にビス止めされている。ここでのビス９０は、第三取付片部８３側から室外見付け片部５３側に向かってねじ込まれている。
ここで、第二ビス止め部５３１が鉤状に形成されているので、ビス９０が室外見付け片部５３に当たらない配置となっている。
【００３５】
第二取付片部８２は、シール部材９１を介して縦枠６０Ａの内側見込み片部２５２にビス止めされている。ここでのビス９０は、第二取付片部８２側から内側見込み片部２５２側に向かってねじ込まれている。
【００３６】
この取付部材８０は、無目本体５１にカバー部材５７が取り付けられていない状態で無目本体５１および縦枠６０にビス止めされ、ビス止め後、カバー部材５７が無目本体５１に取り付けられ、取付部材８０はホロー５０Ａに収容される。
【００３７】
［本実施形態の効果］
（１）本実施形態では、カーテンウォールユニット１０は、枠体２０と、枠体２０内に配置されるパネル２１，２２とを備え、枠体２０は、上下の横枠である上枠３０および下枠４０と、左右の縦枠６０Ａ，６０Ｂと、縦枠６０Ａ，６０Ｂに取り付けられた無目５０とを備え、縦枠６０Ａ，６０Ｂは中空に形成され、無目５０は、室外見付け片部５３および無目見込み片部５２を有した無目本体５１と、室外見付け片部５３および無目見込み片部５２に取り付けられてホロー５０Ａを形成するカバー部材５７とを備え、ホロー５０Ａには、無目本体５１に沿った第一取付片部８１および縦枠６０に沿った第二取付片部８２を有した取付部材８０が配置され、第一取付片部８１は、無目本体５１に取り付けられ、第二取付片部８２は、無目５０側から縦枠６０にねじ込まれたビス９０によってビス止めされていることを特徴とする。
上記構成を有するため、第二取付片部８２を無目５０側から左右の縦枠６０Ａ，６０Ｂにビス９０をねじ込むことによってビス止めすることで、中空の縦枠６０Ａ，６０Ｂにビスやドライバー等の工具を通すための孔を形成する必要をなくすことができ、カーテンウォールユニット１０の水密性を維持できる。
また、取付部材８０は、無目５０のホロー５０Ａに配置されるので、取付部材８０が外部に露呈して外観を損なうことがない。
さらに、本実施形態では、以下の各効果を発揮できる。
（２）無目本体５１は、ホロー５０Ａに配置された第一ビス止め部５２１を有し、第一取付片部８１は、第一ビス止め部５２１にビス止めされている。
このため、第一取付片部８１が第一ビス止め部５２１にビス止めされることで、ビス９０が無目本体５１から外部に突き出ることなく当該第一取付片部８１を無目本体５１に取り付けることができる。
（３）第一取付片部８１は、無目見込み片部５２に沿って配置され、取付部材８０は、室外見付け片部５３に沿った第三取付片部８３を有し、第三取付片部８３は、第二取付片部８２に連続しているとともに、無目本体５１に取り付けられている。
このため、第二取付片部８２が第一取付片部８１に対して撓まないように第三取付片部８３によって補強できる。
（４）無目本体５１は、ホロー５０Ａに配置された第二ビス止め部５３１を有し、第三取付片部８３は、第二ビス止め部５３１にビス止めされている。
このため、第三取付片部８３が第二ビス止め部５３１にビス止めされることで、ビス９０が無目本体５１から外部に突き出ることなく当該第三取付片部８３を無目本体５１に取り付けることができる。
（５）縦枠６０Ａ，６０Ｂと無目５０との間には、シール部材９１が配置されている。
このため、縦枠６０Ａ，６０Ｂに無目５０を取付部材８０を介してビス止めすることで、これらの間を不定形シール材を用いることなくシール部材９１によって簡単にシールできる。
【００３８】
［変形例］
本発明は、以上の実施形態で説明した構成のものに限定されず、本発明の目的を達成できる範囲での変形例は、本発明に含まれる。
例えば、前記実施形態では、上枠３０、下枠４０および左右の縦枠６０Ａ，６０Ｂは、同一断面形状の枠形材２５を備えて構成されているが、これに限定されず、互いに異なる断面形状の枠形材を備えて構成されていてもよい。
【００３９】
前記実施形態では、第一取付片部８１および第三取付片部８３は、無目本体５１にビス止めされているが、これに限られず、溶接等されてもよい。
【００４０】
前記実施形態では、無目本体５１は第一ビス止め部５２１および第二ビス止め部５３１を備えているが、これらの構成を省略してもよい。この場合、第一取付片部８１は無目見込み片部５２に直接取り付けられ、第三取付片部８３は室外見付け片部５３に直接取り付けられる。
【００４１】
前記実施形態では、取付部材８０は、無目本体５１に取り付けられる第一取付片部８１および第三取付片部８３を有しているが、第一取付片部８１および第三取付片部８３のうちの一方の構成を省略してもよい。この場合には当該他方の構成が本発明の第一取付片部とされる。
【００４２】
前記実施形態では、無目５０と縦枠６０との間にシール部材９１が介在されているが、このシール部材９１の構成を省略してもよい。この場合にシーリングする場合には、不定形のシール材は無目５０と縦枠６０との取付部分に施工する。
【００４３】
前記実施形態では、縦枠６０Ａ，６０Ｂに架け渡される無目５０を、取付部材８０によって当該縦枠６０Ａ，６０Ｂに取り付けられる中枠として説明したが、この構成に代えてまたは加えて、上枠３０および下枠４０に取り付けられる中骨を中枠として備えていてもよい。この中骨の上枠３０および下枠４０に対する取り付けおよびシーリングは、取付部材８０およびシール部材９１を用いて前述同様に行われる。
このように中骨を上枠３０および下枠４０に取り付ける場合においても前述した効果を発揮できる。
【符号の説明】
【００４４】
１０…カーテンウォールユニット、１１，１７，１８…ガスケット、１２…水密材、１３…気密材、１５…耐火パネル、２０…枠体、２１，２２…パネル、２３，２４…開口、２５…枠形材、２６…押縁、２８Ａ，２８Ｂ，２８Ｃ…ホロー、３０…上枠、３１，４３…排水口、４０…下枠、４１，４２…通気口、５０…無目（中枠）、５０Ａ…ホロー、５１…無目本体（中枠本体）、５２…無目見込み片部（見込み片部）、５３…室外見付け片部、５４Ａ，５４Ｂ，２５５…係合片部、５５，５６…取付部、５７…カバー部材、５８…カバー見込み片部、５９…カバー見付け片部、６０（６０Ａ，６０Ｂ）…縦枠、７１Ａ，７１Ｂ…コーナーブロック、８０…取付部材、８１…第一取付片部、８２…第二取付片部、８３…第三取付片部、９０…ビス、９１…シール部材、２５１…パネル対向片部、２５１Ａ…室外突部、２５２…内側見込み片部、２５３…外側見込み片部、２５３Ａ，２５３Ｂ…装着部、２５４…室内見付け片部、２５６，２５７…仕切り片部、５２１…第一ビス止め部、５３１…第二ビス止め部、５３２，５３３…室外突部。
【図１】
2018066153.tif 000003
【図２】
2018066153.tif 000004
【図３】
2018066153.tif 000005
【図４】
2018066153.tif 000006
【図５】
2018066153.tif 000007